(57)【要約】【課題】蓋の内側のアイスクリームを変形及び損傷させずにより小さな力で蓋を容易に開封することができるアイスクリーム容器を提供する。【解決手段】容器本体１０の上側端部に形成された挿入部１２が蓋２０の下側端部に形成された固定部２２と係合するように構成されたアイスクリーム容器である。蓋２０は、固定部２２の一側に先開封部２４が形成され、先開封部２４の少なくとも一部が切取線Ｌで取り囲まれ、切取線Ｌにより先開封部２４が蓋２０から分離可能にされている。【選択図】  図１
0003218169.tif 000002
【実用新案登録請求の範囲】
【請求項１】
容器本体の上側端部に形成された挿入部が蓋の下側端部に形成された固定部と係合するように構成されたアイスクリーム容器であって、
前記蓋は、前記固定部の一側に先開封部が形成され、前記先開封部の少なくとも一部が切取線で取り囲まれ、前記切取線により前記先開封部が前記蓋から分離可能にされていることを特徴とする、開封が容易なアイスクリーム容器。
【請求項２】
前記先開封部は前記蓋の下側端部に突設された開封補助取っ手部と一体に連結されていることを特徴とする、請求項１に記載の開封が容易なアイスクリーム容器。
【請求項３】
前記切取線は前記先開封部を取り囲んでいる切取線の両側端の少なくとも一側端が前記蓋の下側端部まで延びていることを特徴とする、請求項１又は２のいずれか１項に記載の開封が容易なアイスクリーム容器。
【考案の詳細な説明】
【技術分野】
【０００１】
本考案はアイスクリームコーンを包装するためのアイスクリーム容器に関し、より詳しくはアイスクリームコーンを包装している容器本体の蓋を容易に開封することができるようにしたアイスクリーム容器に関する。
【背景技術】
【０００２】
一般に、アイスクリームコーンとはコーンカップに盛ったアイスクリームを言い、コーンカップの上端より高くアイスクリームが盛られるから、アイスクリームコーンを包装するためには、前記コーンカップを収容することができる容器本体とコーンカップの上側に突出したアイスクリームを取り囲んで保護することができる蓋とからなるアイスクリーム用包装容器を用いる。
【０００３】
このようなアイスクリーム用包装容器は、通常片手で容器本体を握った状態でもう一方の手で蓋を握って一方向に折る方式で開封する、あるいは片手で容器本体を握った状態でもう一方の手で蓋を掴んで持ち上げて容器本体から分離させる方式で開封することになる。このとき、前記容器本体と蓋とが流通時に分離しないように堅く係合されているため、容器本体と蓋との係合を解除するために蓋に力を加えるに伴って、蓋を握る握力によって蓋の内部のアイスクリームが押されて潰れながら変形及び損傷するおそれがあり、ひどい場合はアイスクリームが蓋と共にコーンカップから分離してしまうこともある。
【０００４】
したがって、前記のような従来のアイスクリーム用包装容器は、開封時に蓋の内部のアイスクリームの損傷を防止するために、用心深く力を調節して蓋を開封しなければならない不便さが存在し、力の弱い子供又は弱者の場合は開封が難しいという問題点がある。
【先行技術文献】
【特許文献】
【０００５】
【特許文献１】実開平５−１３９７７号公報
【考案の概要】
【考案が解決しようとする課題】
【０００６】
本考案は前記のような点に鑑みてなされたもので、アイスクリームコーンの容器本体と係合される蓋の下側端部に切取線によって分離可能な先開封部を構成することで、蓋を開封するに先立ち前記先開封部を除去することによって、蓋内側のアイスクリームを変形及び損傷させることなく比較的小さい力で蓋を容易に開封することができるアイスクリーム容器を提供することにその目的がある。
【課題を解決するための手段】
【０００７】
したがって、本考案は、容器本体の上側端部に形成された挿入部が蓋の下側端部に形成された固定部と係合するように構成されたアイスクリーム容器であって、前記蓋は、前記固定部の一側に先開封部が形成され、前記先開封部の少なくとも一部が切取線で取り囲まれ、前記切取線により前記先開封部が前記蓋から分離可能にされていることを特徴とする、開封が容易なアイスクリーム容器を提供する。
【０００８】
本考案では、前記先開封部は前記蓋の下側端部に突設された開封補助取っ手部と一体に連結されるように構成し、又は前記切取線は前記先開封部を取り囲んでいる切取線の両側端の少なくとも一側端が蓋の下側端部まで延びるように構成することもできる。
【考案の効果】
【０００９】
前記のように構成される本考案のアイスクリーム容器は次のような利点を有する。
【００１０】
１．蓋を開封するに先立って先開封部を切り取って蓋の一部を先に開封することができ、容器本体の挿入部を保持している蓋の固定力を減少させることができることになり、結果として容器本体と係合されている蓋をより小さな力で容易に開封することができるようになる。
【００１１】
２．このように蓋を容易に開封することができるようになるので、蓋を開封するとき、蓋の内側のアイスクリームが変形及び損傷する問題点を解消することができ、力の弱い子供又は弱者なども容易に蓋を開封することができるようになる。
【図面の簡単な説明】
【００１２】
【図１】本考案の実施例によるアイスクリーム容器を示した斜視図である。
【図２】本考案の実施例によるアイスクリーム容器を示した正面図である。
【図３】本考案の実施例によるアイスクリーム容器を示した断面図である。
【図４】本考案の実施例によるアイスクリーム容器の開封手順の例を示した図である。
【考案を実施するための形態】
【００１３】
以下、添付図面に基づいて本考案の好適な実施例について説明する。
【００１４】
本考案のアイスクリーム容器は、図１〜４に示したように、コーンカップＣに盛ったアイスクリームＩ、すなわちアイスクリームコーンを包装するものであり、アイスクリームＩが盛られるコーンカップＣを収容するための容器本体１０と、この容器本体１０と係合され、コーンカップＣに盛られたアイスクリームＩを包んで保護する蓋２０とを含んでなる。
【００１５】
前記容器本体１０は上側端部が開放した密閉型容器であり、円錐状のベッセル（ｖｅｓｓｅｌ）状の菓子からなるコーンカップＣ（図４参照）を収容するために、上側端部が開放した円錐状に形成され、前記上側端部に円周方向に沿って挿入部１２を具備している。
【００１６】
前記挿入部１２は、容器本体１０の上側端部から容器本体１０の外側に向かって延びる一定の曲率を有する曲面状に延びるように形成され、容器本体１０の円周方向に沿って形成されて弧形断面を有する閉ループ形状にされている。
【００１７】
このような挿入部１２の下側端部には、蓋２０の下側端部に押し込まれた挿入部１２が係合され得るように係合端１２ａが円周方向に沿って設けられている。
【００１８】
前記蓋２０は下側端部が開放した内部空間を有する密閉型蓋であり、コーンカップＣの上端を超えて一定高さまで高く盛られたアイスクリームＩ（すなわち、コーンカップの上側のアイスクリームＩ）を収容するために、コーンカップＣの上側のアイスクリームＩの体積を考慮して形成された内部空間を有し、具体的には、図４に示したように、コーンカップＣの上側のアイスクリームＩの形状と類似した形状に形成され、前記内部空間はコーンカップＣの上側のアイスクリームＩと接触しないように余裕を持たせた空間をさらに有する。
【００１９】
そして、前記蓋２０の下側端部にはその円周方向に沿って形成されている固定部２２を具備している。
【００２０】
図３に示したように、前記固定部２２は弧形断面を有する挿入部１２が押込式で挿入されて係合されるようにするために、挿入部１２の最大外径より一定値以上小さい内径を有する最小直径部２２ａを含む曲面構造に形成され、前記最小直径部２２ａは固定部２２のうち最小直径を有する部分であり、蓋２０の下側端部で蓋２０の円周方向に沿って形成されて閉ループ形状にされている。
【００２１】
このような固定部２２の下側端部には、挿入部１２の係合端１２ａを覆うことができる羽部２２ｂが当該下側端の円周方向に沿って設けられている。
【００２２】
また、前記蓋２０は固定部２２の円周の一側に、蓋２０の開封を容易にするための先開封部２４が形成される。
【００２３】
前記先開封部２４は、アイスクリームを食べようとする消費者が引っ張ることで、蓋２０から分離されるようになっているものであり、切取線Ｌで取り囲まれるように形成することにより、先開封部２４が引っ張られた場合に、蓋２０の下側端部の固定部２２から切り取られて分離できるようになっている。
【００２４】
前記切取線Ｌは、蓋２０の固定部２２の所定領域を点線形に切開している一種のミシン目であり、固定部２２の最小直径部２２ａに対して交差するように延設され、先開封部２４を取り囲んでいる切取線Ｌの両側端が蓋２０の下側端部まで延びている。
【００２５】
したがって、蓋２０を開封するに先立って前記先開封部２４を引っ張れば、切取線Ｌにより先開封部２４が蓋２０から分離され、蓋２０の固定部２２の一部が除去されることによって容器本体１０の挿入部１２を円周方向に全体的に取り囲んで保持している蓋２０の固定力が減少し、蓋２０と容器本体１０との間の係合力が弱くなる。
【００２６】
このとき、容器本体１０の挿入部１２を円周方向に全体的に取り囲んで保持している固定部２２の最小直径部２２ａの一部が破れるだけで前記蓋２０の固定力が分散されて減少するから、先開封部２４の除去によって最小直径部２２ａを含む固定部２２の一部を先に開封する、もしくは切取線Ｌに沿って先開封部２４の一部を切り取ることによって容器本体１０に対する蓋２０の固定力を減少させることができる。
【００２７】
したがって、図面には示されていないが、前記切取線Ｌは両側端のいずれか一側端のみ蓋２０の下側端部まで延びるように構成することもできる。ただ、切取線Ｌのいずれか一側端のみが蓋２０の下側端部まで延びる場合、前記切取線Ｌは固定部２２の最小直径部２２ａで交差するように形成されなければならない。
【００２８】
言い換えれば、前記切取線Ｌは先開封部２４を取り囲んでいる切取線Ｌの両側端の少なくとも一側端が蓋２０の下側端部まで延びるように形成され、このような切取線Ｌにより先開封部２４が蓋２０から分離できる。
【００２９】
すなわち、前記先開封部２４は先開封部２４の少なくとも一部が切取線Ｌで取り囲まれることによって前記切取線Ｌにより蓋２０から分離できるようになる。ここで、前記切取線Ｌは先開封部２４を取り囲んでいる切取線Ｌの一側端と他側端が共に蓋２０の下側端部まで延びることによって先開封部２４が蓋２０から全体的に完全に分離されるようにすることが好ましい。
【００３０】
また、前記先開封部２４には、消費者が先開封部２４を簡単に取り離すことができるようにするため、開封補助取っ手部２６が一体に形成される。
【００３１】
前記開封補助取っ手部２６は蓋２０の下側端部、具体的には蓋２０の下側端部のうち先開封部２４の端部に含まれる蓋２０の下側端部に下方に突出するように設けられ、蓋２０の下側端部から下方に折り曲げられた形状に延設される。
【００３２】
このように、先開封部２４の端部に開封補助取っ手部２６が一体に連結されることにより、先開封部２４を引っ張るとき、消費者が先開封部２４とともに開封補助取っ手部２６を指で摘んで引っ張ることができるので、相対的に小さな面積の先開封部２４を引っ張る不便さを減らすとともに先開封部２４を簡単に切り取ることができる利点がある。
【００３３】
このような本考案のアイスクリーム容器は、容器本体１０と蓋２０の係合などが可能なように、プラスチック素材からなる。
【００３４】
ここで、前記のように構成された本考案によるアイスクリーム容器の開封方式について説明する。
【００３５】
まず、図３を参照すると、前記アイスクリーム容器は、容器本体１０の上側端部に円周方向全体に沿って形成された挿入部１２が、蓋２０の下側端部に円周方向全体に沿って形成された固定部２２に押込式で挿入されて係合される。このとき、蓋２０の下側端部、すなわち固定部２２が挿入部１２上に嵌め合わせられるに伴い最小直径部２２ａが挿入部１２の表面に沿って移動し、最小直径部２２ａが挿入部１２の係合端１２ａ上に引っかかることで固定部２２に対する挿入部１２の挿入が完了する。
【００３６】
より詳細に説明すると、容器本体１０の挿入部１２が固定部２２に押込式で挿入されるとき、前記最小直径部２２ａによって挿入部１２の表面が加圧されるにつれて挿入部１２が中心側に変形して固定部２２の内側に進入し、前記最小直径部２２ａが挿入部１２の中央部（最大直径を有する部分）を通過し、挿入部１２が最小直径部２２ａを通過して固定部２２の内側への挿入が完了する。このとき、前記挿入部１２が元の形状に復元され、係合端１２ａが最小直径部２２ａに引っかかることにより、固定部２２が挿入部１２を取り囲む形態で固定することになる。
【００３７】
このような容器本体１０と蓋２０の係合状態で、図４に示したように、蓋２０を開封するに先立ち開封補助取っ手部２６及び先開封部２４を引っ張れば、固定部２２の一側に切取線Ｌで取り囲まれた先開封部２４が切取線Ｌにより蓋２０から取り離され、蓋２０の固定部２２から先開封部２４が除去されることによって、容器本体１０の円周方向に沿って形成されている挿入部１２を保持している固定部２２の固定力（具体的に、最小直径部２２ａの固定力）が減少することになる。
【００３８】
前記固定部２２は、蓋２０の円周方向に沿って形成され、固定部２２内側に押し込まれた挿入部１２を全体的に取り囲んで固定する。ここで、前記先開封部２４が除去されることにより、挿入部１２を保持している固定部２２の固定力が分散されて減少することによって容器本体１０と蓋２０間の係合力が減少する。
【００３９】
このように、本実施例では先開封部２４を除去した後に蓋２０を開封することになる。このとき、容器本体１０と蓋２０の係合力が減少した状態になっているから、相対的に小さな力で蓋２０を容易に開封することができるようになる。したがって、蓋２０を開封するときに蓋２０の内側のアイスクリームＩが変形及び損傷する問題点を解消することができ、力の弱い子供又は弱者なども容易に蓋２０を開封することができるようになる。
【００４０】
このように、本考案のアイスクリーム容器は、蓋２０を開封するに先立って先開封部２４を切り取って蓋２０の一部を先に開封することができ、容器本体１０の挿入部１２を保持している蓋２０の固定力を減少させることができ、結果として容器本体１０と係合されている蓋２０を容易に開封することができるようになる。
【００４１】
以上、本考案の特定の実施例について説明したが、本考案がこれに限定されるものではなく、本考案は当業者によって多様に変形実施可能であり、本考案が属する技術分野で通常の知識を有する者が本考案の請求範囲内で実施することができる多様な形態の実施例を全て含む。
【符号の説明】
【００４２】
１０  容器本体
１２  挿入部
１２ａ  係合端
２０  蓋
２２  固定部
２２ａ  最小直径部
２２ｂ  羽部
２４  先開封部
２６  開封補助取っ手部
Ｃ  コーンカップ
Ｉ  コーンカップの上側のアイスクリーム
Ｌ  切取線
【図１】
0003218169.tif 000003
【図２】
0003218169.tif 000004
【図３】
0003218169.tif 000005
【図４】
0003218169.tif 000006